(57)【要約】【課題】位置合わせ治具が位置合わせ作業中に雌型プレートから不測に脱落することがなく、しかも雌型プレートの接着固定後に雌型プレート側に確実に保持することができるようにする。【解決手段】位置合わせ治具は、一側に押罫が嵌入される溝条４が形成され、他側に溝条４を中心に左右対称に一対の突条３が形成されるとともに、一対の突条３間に雌型プレート表面に接着される接着面部６が形成され、雌型プレートには、押罫に対応する中央凹溝条と、この中央凹溝条の両側に位置合わせ治具１の突条３が嵌入される左右凹溝条とが形成されている。【選択図】図１
0003155295.tif 000002
【実用新案登録請求の範囲】
【請求項１】
紙器用ブランクを打抜く打抜型の押罫に着脱自在に取付けられる位置合わせ治具と、この位置合わせ治具を介して前記押罫に仮取付けされる雌型プレートとよりなる雌型プレートの位置合わせ構造であって、
前記位置合わせ治具には、一側に前記押罫が嵌入される溝条が形成され、他側に前記溝条を中心に左右対称に一対の突条が形成されるとともに、一対の突条間に前記雌型プレート表面に接着される接着面部が形成され、
前記雌型プレートには、前記押罫に対応する中央凹溝条と、この中央凹溝条の両側に前記位置合わせ治具の突条が嵌入される左右凹溝条とが形成されている
ことを特徴とする雌型プレートの位置合わせ構造。
【請求項２】
紙器用ブランクを打抜く打抜型の押罫に着脱自在に取付けられる位置合わせ治具であって、
一側に前記押罫が嵌入される溝条が形成され、他側に前記溝条を中心に左右対称に一対の突条が形成されるとともに、一対の突条間に接着面部が形成され、この接着面部を覆うように剥離紙が付されている
ことを特徴とする位置合わせ治具。
【考案の詳細な説明】
【技術分野】
【０００１】
本考案は、紙器用ブランクの打抜き加工に使用される打抜型への雌型プレートの位置合わせ構造およびそれに用いる位置合わせ治具に関するものである。
【背景技術】
【０００２】
図５（ａ）に示されるように、段ボール箱等の紙器用ブランクの打抜き加工に用いられる打抜型５０には、ブランクの外形を切り抜くための切り刃５１と、ブランクに折り曲げ用罫線を形成するための押罫５２とが植設されている。一方、打抜型５０に対向する面板５３には、ブランクとほぼ同一外形で、所要部に上記折り曲げ用罫線に対応する位置に凹溝条５４が形成された雌型プレート５５が設けられる。こうして、打抜型５０の押罫５２と、雌型プレート５５の凹溝条５４との協働によってブランクに折り曲げ用罫線が形成される。
【０００３】
従来、打抜型５０に対して雌型プレート５５を位置合わせするには、図５（ｂ）に示されるように、打抜型５０の押罫５２に着脱自在に取付けられる位置合わせ治具５６を用いて、打抜型５０の押罫５２に対して雌型プレート５５を仮取付けし、この押罫５２に仮取付けされた雌型プレート５５を、その状態のまま、面板５３に接着固定することにより、雌型プレート５５を押罫５２に対して位置決めした状態で面板５３に固定するようにされる。この場合、まず、複数個の位置合わせ治具５６を雌型プレート５５に仮取付けしておき、打抜型５０を反転した状態で、この打抜型５０の押罫５２に位置合わせ治具５６の溝条５６ａを押し込むことにより押罫５２に対して雌型プレート５５が仮取付けされる。
【０００４】
ここで、位置合わせ治具５６を雌型プレート５５に仮取付けする際、特許文献１に記載のものでは、位置合わせ治具（セットガイド）の下面に、長手方向に延びる細幅の係止突条を設け、この係止突条を雌型プレートに穿設された係止溝に嵌入するようにしている。
また、特許文献２に記載のものでは、位置合わせ治具の下面に複数個の円形突起を設け、この円形突起を雌型プレートに穿設された円形孔に嵌入するようにしている。
さらに、特許文献３に記載のものでは、位置合わせ治具（罫線アダプター）の下面に、突条部とその両端の円形膨出部とを有する形状の突起部を設け、この突起部を雌型プレートに穿設された細長状の貫孔に嵌入するようにしている。
【先行技術文献】
【特許文献】
【０００５】
【特許文献１】実開昭６４−５５０１５号公報
【特許文献２】実開平５−４６９０７号公報
【特許文献３】特開平９−２１６１９７号公報
【０００６】
しかしながら、上記各先行文献に記載のものでは、位置合わせ治具５６側に設けた突起部を雌型プレート５５に設けた係止孔もしくは係止溝に嵌入することにより位置合わせ治具５６を雌型プレート５５に仮取付けする方式であるために、位置合わせ治具５６を雌型プレート５５に嵌め込んでその雌型プレート５５を面板５３上に接着固定する際に、位置合わせ治具５６が雌型プレート５５から不測に脱落してしまう恐れがある。また、面板５３上に雌型プレート５５を接着固定した後に面板５３と打抜型５０とを離すと、位置合わせ治具５６が打抜型５０側に保持されたり、あるいは面板５３側に保持されたりして、その保持位置が一定しないため、雌型プレート５５の位置合わせ後における位置合わせ治具５６の回収作業が煩雑になるという問題点がある。
【考案の概要】
【考案が解決しようとする課題】
【０００７】
本考案は、前述のような問題点に鑑みてなされたもので、位置合わせ治具を雌型プレートに確実に仮取付けすることにより、この位置合わせ治具が位置合わせ作業中に雌型プレートから不測に脱落することがなく、しかも雌型プレートの接着固定後に雌型プレート側に確実に保持することのできる雌型プレートの位置合わせ構造および位置合わせ治具を提供することを目的とするものである。
【課題を解決するための手段】
【０００８】
前記目的を達成するために、本考案による雌型プレートの位置合わせ構造は、
紙器用ブランクを打抜く打抜型の押罫に着脱自在に取付けられる位置合わせ治具と、この位置合わせ治具を介して前記押罫に仮取付けされる雌型プレートとよりなる雌型プレートの位置合わせ構造であって、
前記位置合わせ治具には、一側に前記押罫が嵌入される溝条が形成され、他側に前記溝条を中心に左右対称に一対の突条が形成されるとともに、一対の突条間に前記雌型プレート表面に接着される接着面部が形成され、
前記雌型プレートには、前記押罫に対応する中央凹溝条と、この中央凹溝条の両側に前記位置合わせ治具の突条が嵌入される左右凹溝条とが形成されている
ことを特徴とするものである（第１考案）。
【０００９】
また、本考案による位置合わせ治具は、
紙器用ブランクを打抜く打抜型の押罫に着脱自在に取付けられる位置合わせ治具であって、
一側に前記押罫が嵌入される溝条が形成され、他側に前記溝条を中心に左右対称に一対の突条が形成されるとともに、一対の突条間に接着面部が形成され、この接着面部を覆うように剥離紙が付されている
ことを特徴とするものである（第２考案）。
【考案の効果】
【００１０】
第１考案および第２考案によれば、位置合わせ治具は一対の突条間に形成された接着面部によって雌型プレート表面に接着固定されるので、この位置合わせ治具と雌型プレートとの結合力が強力になる。したがって、打抜型への雌型プレートの位置合わせ作業中に雌型プレートが打抜型から不測に脱落することがない。また、雌型プレートを面板に接着固定した後に、位置合わせ治具を雌型プレート側に確実に保持することができるので、位置合わせ治具の回収作業を容易に行うことができる。
【図面の簡単な説明】
【００１１】
【図１】本考案の一実施形態に係る位置合わせ治具の斜視図（ａ）とその縦断面図（ｂ）
【図２】雌型プレートの平面図（ａ）とそのＡ−Ａ線断面図（ｂ）
【図３】打抜型に対する雌型プレートの位置合わせ手順説明図
【図４】ブランクに対する折り曲げ用罫線形成状態を示す断面図
【図５】従来の打抜型、雌型プレートおよび面板の関係を示す断面図
【考案を実施するための形態】
【００１２】
次に、本考案による雌型プレートの位置合わせ構造および位置合わせ治具の具体的な実施の形態について、図面を参照しつつ説明する。
【００１３】
図１には、本考案の一実施形態に係る位置合わせ治具の斜視図（ａ）とその縦断面図（ｂ）が示されている。また、図２には、雌型プレートの平面図（ａ）とそのＡ−Ａ線断面図（ｂ）が示されている。また、図３には、打抜型に対する雌型プレートの位置合わせ手順説明図が示されている。
【００１４】
本実施形態において、紙器用ブランクの打抜き装置は、図３に示されるように、紙器用ブランクを打抜く打抜型２０と、この打抜型２０の押罫２１に着脱自在に取付けられる位置合わせ治具１と、この位置合わせ治具１を介して押罫２１に仮取付けされる雌型プレート１０と、この雌型プレート１０が固定される面板２２とを備えて構成されている。
【００１５】
図１に示されるように、位置合わせ治具１は、合成樹脂（またはゴム）等の弾性材料よりなり、幅方向ｘの中心線ｃに対して左右対称で、かつ長手方向ｙに長尺の形状に形成されている。この位置合わせ治具１は、中央部に上方へ向けて突出する突出部２を有するとともに、この突出部２を中心とする左右側縁に下方へ向かう突条３，３を有している。また、前記突出部２には、後述する押罫２１が嵌入される溝条４が形成され、この突出部２と反対側の面（裏面）には一対の突条３，３間に接着剤５が塗布されてなる接着面部６が形成され、この接着面部６の接着剤５を覆うように剥離紙７（図１（ａ）では図示省略）が貼付されている。なお、接着面部６の中央には目印となる中央突条８が形成されている。
【００１６】
図２に示されるように、雌型プレート１０は、打抜くべきブランクとほぼ同一の外形を有し、裏面に接着剤１１が塗布されて接着面部が形成され、その接着面部が剥離紙１２により覆われてなる構成とされている。この雌型プレート１０の表面には、ブランクに折り曲げ用罫線を形成するための凹溝条（中央凹溝条）１３が形成されているとともに、この中央凹溝条１３を挟む形でその中央凹溝条１３の左右に左右凹溝条１４，１４が形成されている。左右凹溝条１４，１４は、位置合わせ治具１の突条３を嵌入させて、この位置合わせ治具１を雌型プレート１０に対し位置合わせするために形成されたものである。このため、左右凹溝条１４，１４お中央凹溝条１３との離間間隔および左右凹溝条１４，１４同士の離間間隔は、位置合わせ治具１の突条３に対応して設定されている。また、左右凹溝条１４，１４の深さは、位置合わせ治具１の突条３を左右凹溝条１４，１４に嵌入させた時に、位置合わせ治具１の接着面部６が雌型プレート１０の表面に接当されてその表面に接着されるのに十分な深さに設定されている。
【００１７】
次に、上述の構成よりなる紙器用ブランクの打抜き装置において、打抜型２０に対して雌型プレート１０を位置合わせする手順について、図３を用いて説明する。
【００１８】
まず、位置合わせ治具１を所定の長さに切断した後、裏面の剥離紙７を剥がして接着剤５を露出させた状態で、この位置合わせ治具１の突条３，３をそれぞれ雌型プレート１０の左右凹溝条１４，１４に嵌入させるように位置決めし、接着面部６を雌型プレート１０の表面に接当させて接着・固定する。なお、このとき、接着面部６に形成された中央突条８は、中央凹溝条１３内に位置するため、位置合わせ治具１が折り曲げ用罫線の中央位置に位置決めされていることを確認することができる。
【００１９】
一方、打抜型２０を上向きに反転しておき、この打抜型２０の押罫２１に位置合わせ治具１の溝条４を押し込むことにより、位置合わせ治具１を打抜型２０の所要位置に取付ける。こうして、雌型プレート１０が、位置合わせ治具１を介して打抜型２０の押罫２１に仮取付けされたことになる。
【００２０】
この後、雌型プレート１０の裏面の剥離紙１２を剥がし、打抜型２０を反転して、打抜装置に装着する（図３（ａ）参照）。次いで、打抜型２０に対して面板２２を上昇させ、面板２２上に雌型プレート１０を押圧すれば、面板２２上には、打抜型２０の押罫２１に対して位置決めされた雌型プレート１０が接着固定される（図３（ｂ）参照）。この後、面板２２に対して打抜型２０を離すと、位置合わせ治具１は接着剤５の接着力によって確実に雌型プレート１０側に残る（図３（ｃ）参照）。そして、最後に、位置合わせ治具１を雌型プレート１０から引き剥がすことで、打抜型２０に対する雌型プレート１０の位置合わせが完了する。
【００２１】
このようにして雌型プレート１０が面板２２に固定された後、この面板２２と打抜型２０とによって紙器用ブランクを形成するには、図４に示されるように、面板２２上に被打抜紙２３を載置して打抜型２０を下降させると、押罫２１の下端が雌型プレート１０の中央凹溝条１３に合致する。このとき、被打抜紙２３は押罫２１の下端に押圧されるとともに、中央凹溝条１３内に圧入されて断面Ｕ字状に折り曲げられ、罫線が形成される。これと同時に、打抜型２０の切り刃２４によって被打抜紙２３が所定形状に切断される。
【産業上の利用可能性】
【００２２】
本考案の打抜型への雌型プレートの位置合わせ構造および位置合わせ治具は、段ボール箱等の紙器を形成するための紙器用ブランクの打抜き加工に使用して好適である。
【符号の説明】
【００２３】
１        位置合わせ治具
２        突出部
３        突条
４        溝条
５，１１  接着剤
６        接着面部
７，１２  剥離紙
８        中央突条
１０      雌型プレート
１３      中央凹溝条
１４      左右凹溝条
２０      打抜型
２１      押罫
２２      面板
２３      被打抜紙
２４      切り刃
【図１】
0003155295.tif 000003
【図２】
0003155295.tif 000004
【図３】
0003155295.tif 000005
【図４】
0003155295.tif 000006
【図５】
0003155295.tif 000007